(57)【要約】【課題】流路長の調整の自由度が高い光透過性流路ユニット及び光反応装置を提供する。【解決手段】光透過性流路ユニット１は、光により反応する被光反応物質を流動させるための光透過性流路を備える光透過性流路ユニット１であって、光透過性流路は透光性の複数本の流路管３を選択的に接続可能に備える。【選択図】図２
2018149470.tif 000002
【特許請求の範囲】
【請求項１】
光により反応する被光反応物質を流動させるための光透過性流路を備える光透過性流路ユニットであって、
前記光透過性流路は透光性の複数本の流路管を選択的に接続可能に備える
光透過性流路ユニット。
【請求項２】
前記複数本の流路管は、管軸方向から見たときに、環状に配されている
請求項１に記載の光透過性流路ユニット。
【請求項３】
前記光を出射する光源ユニットが配される収容空間を前記環状の中央部分に有する
請求項２に記載の光透過性流路ユニット。
【請求項４】
前記環状は円環状である
請求項２又は３に記載の光透過性流路ユニット。
【請求項５】
光により反応する被光反応物質を流動させるための光透過性流路を備える光透過性流路ユニットと、
前記被光反応物質に光を出射するための光源を備える光源ユニットと
を備え、
前記光透過性流路ユニットが請求項１〜４の何れか１項に記載の光透過性流路ユニットである
光反応装置。
【発明の詳細な説明】
【技術分野】
【０００１】
本発明は、光により反応する被光反応物質を流動させるための光透過性流路を備える光透過性流路ユニット及び当該光透過性流路ユニットを備える光反応装置に関する。
【背景技術】
【０００２】
光反応装置として、例えば、光透過性流路により形成される反応部と、反応部へ被反応物質を送液する送液部と、反応部を照射し光透過性流路内の被反応物質に光化学反応を生じせしめる少なくとも１つの光源を備える光源部と、光化学反応が生じた光化学反応生成物質を回収する回収部とを備え、反応部は１つのユニットとしてユニット化され、光源部と一体をなすように光源部に対して着脱可能に装着されているフロー式光化学反応装置が提案されている（例えば特許文献１）。
本フロー式光化学反応装置では、反応部として、光透過性流路に対応する溝が形成された第１基板と、第１基板に形成された溝を覆うように第１基板上に重ねられる光透過性の第２基板とからなるユニットを備える。
本ユニットは、溝に複数個の排出口を設けており、光化学反応に応じて流路長を調整できる。
【先行技術文献】
【特許文献】
【０００３】
【特許文献１】特開２００７−７５６８２号公報
【発明の概要】
【発明が解決しようとする課題】
【０００４】
上記のユニットでは、第１基板に予め溝や排出口が設けられているため、流路長の調整の自由度が低いという課題がある。なお、流路長の自由度を上げるためには、複数種類の第１基板及び第２基板を準備する必要がある。
本発明は、流路長の調整の自由度が高い光透過性流路ユニット及び光反応装置を提供することを目的とする。
【課題を解決するための手段】
【０００５】
本発明に係る光透過性流路ユニットは、光により反応する被光反応物質を流動させるための光透過性流路を備える光透過性流路ユニットであって、前記光透過性流路は透光性の複数本の流路管を選択的に接続可能に備える。
本発明に係る光反応装置は、光により反応する被光反応物質を流動させるための光透過性流路を備える光透過性流路ユニットと、前記被光反応物質に光を出射するための光源を備える光源ユニットとを備え、前記光透過性流路ユニットが上記の光透過性流路ユニットである。
【発明の効果】
【０００６】
本発明に係る光透過性流路ユニット及び光反応装置は、複数本の流路管が選択的に接続可能であるため、流路長の調整の自由度を高めることができる。
【図面の簡単な説明】
【０００７】
【図１】第１の実施形態に係る光透過性流路ユニットの全体斜視図である。
【図２】第１の実施形態に係る光透過性流路ユニットの横断面斜視図である。
【図３】（ａ）は第１の実施形態に係る光透過性流路ユニットの側面図であり、（ｂ）は第１の実施形態に係る光透過性流路ユニットの断面側面図である。
【図４】第１の実施形態に係る光透過性流路ユニットの縦断面拡大図である。
【図５】第２の実施形態に係る光透過性流路ユニットの全体斜視図である。
【図６】第２の実施形態に係る光透過性流路ユニットの縦断面拡大図である。
【図７】（ａ）は第２の実施形態に係る光透過性流路ユニットの側面図であり、（ｂ）は第２の実施形態に係る光透過性流路ユニットの横断面側面図である。
【図８】変形例２に係る光透過性流路ユニットを示す横断面図である。
【発明を実施するための形態】
【０００８】
＜概要＞
実施形態の一態様に係る光透過性流路ユニットは、光により反応する被光反応物質を流動させるための光透過性流路を備える光透過性流路ユニットであって、前記光透過性流路は透光性の複数本の流路管を選択的に接続可能に備える。
実施形態の別態様に係る光透過性流路ユニットは、前記複数本の流路管は、管軸方向から見たときに、環状に配されている。これにより小型化を図ることができる。
実施形態の別態様に係る光透過性流路ユニットは、前記光を出射する光源ユニットが配される収容空間を前記環状の中央部分に有する。これにより光源ユニットを配する空間を別に用意する必要がなくなる。
実施形態の別態様に係る光透過性流路ユニットは、前記環状は円環状である。これにより、光源ユニットを円環状の中心上に配することで、各流路管に照射する光のエネルギの強さを一定に設定できる。
【０００９】
＜第１の実施形態＞
実施形態の一態様に係る光透過性流路ユニット（以下、単に「流路ユニット」という。）１について、図１〜図４を用いて説明する。
流路ユニット１は複数本の流路管３を備える。複数本の流路管３は選択的に接続されて流路を構成する。ここでの流路管３は光を透過する光透過性材料により構成されている。１本の流路管又は接続された２本以上の流路管により構成される流路は光透過性流路を構成する。光透過性流路には被光反応物質を含んだ液体が供給され、当該液体が流路内を流動する。なお、流動中の液体に光が照射されると、被光反応物質が光反応する。
流路ユニット１は、図に示すように、複数本の流路管３の他、当該複数本の流路管３を支持する支持具５を備える。複数本の流路管３は、中央に空間７が存在する状態で、支持されている。つまり、複数本の流路管３が管軸方向から見たときに環状に配され、その環状の中央部分に空間７が形成されている。換言すると、複数本の流路管３は空間７の周りに沿って環状に配されている。空間７は流路管３内の液体に光を出射（供給）するための光源ユニット用の収容空間である。
【００１０】
１．流路管
流路管３は例えばガラス管により構成される。流路管３は直管状をしている。流路管３は円筒状をし、その内径及び外径が一定である。なお、ガラス管として、例えば石英ガラス、ホウ珪酸ガラス等を利用できる。流路管３の端部３ａは例えば支持具５の支持板５１の貫通孔５５に挿入される。これにより、流路管３は支持板５１に支持される。
本実施形態における複数本の流路管３は１２本である。１２本の流路管３は、各流路管３の管軸を平行にした状態で、環状に配されている。ここでの環状は円環状であり、１２本の流路管３の管軸が略１つの円周上に位置する。なお、流路管３の端部３ａは、図４に示すように、端側が細くなる段付状となっている。
【００１１】
２．支持具
支持具５は、例えば、複数本の流路管３を支持する一対の支持板５１と、一対の支持板５１を連結する連結体５３とを備える。
支持板５１は環状（例えば円環状）をしている。支持板５１は複数本の流路管３が挿入される貫通孔５５を複数個有している。ここでの貫通孔５５は流路ユニット１の周方向に等間隔（等角度）をおいて設けられている。貫通孔５５は、他方の支持板５１が位置する側（内側）が細い段付き形状をしている（図４参照）。貫通孔５５における直径の小さい部分５５ａは流路管３を支持する支持機能を有する。貫通孔５５における直径の大きい部分５５ｂは流路管３を接続する接続具（図示省略）の取付けやそれを補助する取付機能を有する。
流路管３の端部３ａは、図４に示すように、例えばＯリング状のパッキン３９を介して支持板５１の貫通孔５５で支持されており、貫通孔５５における内側部分にパッキン用の溝５５ｃが設けられている。
【００１２】
支持板５１は流路管用の貫通孔５５の間に貫通孔５７を有する。貫通孔５７は複数個あり、流路ユニット１の周方向に等間隔（等角度）をおいて設けられている。この貫通孔５７を連結棒５９が挿通する。連結棒５９の両端部のねじ部は、貫通孔５７を通過して、支持板５１の外側でナット５８と螺合する。なお、連結棒５９及びナット５８とで連結体５３が構成される。ここでの貫通孔５７は複数個の貫通孔５５が位置する円周上に位置する。
【００１３】
３．接続具
接続具としては、例えば、両端にコネクタが装着されたチューブを利用できる。具体的には、チューブの先端に取り付けたヘッドナットとグリッパーフェルール（「オムニフィット」（株式会社アイシスの登録商標）とを利用し、ヘッドナットを支持板５１の貫通孔５５に取り付けることで、２本の流路管３を接続している。なお、支持板５１における貫通孔５５の直径の大きい部分５５ｂの内周面は雌ねじとなっており、この雌ねじ部分にヘッドナットの雄ねじ部分が螺合する。
【００１４】
＜第２の実施形態＞
第２の実施形態に係る光透過性流路ユニット（以下、単に「流路ユニット」という。）１０１について図５〜図７を、光反応装置１００について図７をそれぞれ用いて説明する。
１．流路ユニット
第２の実施形態に係る流路ユニット１０１は、第１の実施形態に係る流路ユニット１を利用しており、同じ構成については、第１の実施形態の流路ユニット１と同じ符号を用い、その説明を省略する。
流路ユニット１０１は、流路を構成する複数本の流路管３と、複数本の流路管３を支持する支持具１０５と、複数本の流路管３を収容する空間を区画する区画具１０７とを有している。なお、区画具１０７により区画された空間を収容空間１７９とする。図６及び図７において、収容空間１７９の引き出し線は、支持板１５１や外筒体１７３の引き出し線と区別するために、先端を矢印としている。
複数本の流路管３は、第１の実施形態と同様に、内側に光源ユニット用の空間１０８が形成されるように、環状（円環状）に配されている。空間１０８の引き出し線についても、図５〜図７において内筒体１７１と区別するために、先端を矢印としている。
【００１５】
区画具１０７は、流路ユニット１０１の中心軸に沿って配された内筒体１７１と外筒体１７３とを２重管状に備え、内筒体１７１と外筒体１７３との間に収容空間１７９が形成される。なお、内筒体１７１の内側空間は光源ユニットを配置するための空間である。
ここでの内筒体１７１と外筒体１７３とは支持具１０５を構成する一対の支持板１５１により固定される。ここでの内筒体１７１と外筒体１７３は共に円筒状をしている。内筒体１７１と外筒体１７３は、それぞれの中心軸が一致するように支持板１５１により支持されている。ここでは、さらに、上記の中心軸は、複数本の流路管３が配されている円環状の中心軸と一致している。
内筒体１７１は、被光反応物質の光反応を可能とするために、被光反応物質用の光を透過させる材料により構成されている。光透過させる材料としては、アクリル、エポキシ、シリコーン等の透光性樹脂材料やガラス材料等がある。なお、外筒体１７３は例えば金属材料により構成されている。
【００１６】
本実施形態における収容空間１７９は密閉空間として構成される。このため、支持具１０５は密閉用のパッキン等を備える点で第１の実施形態の支持具５と異なる。以下、異なる点を中心に説明する。
支持具１０５は、流路管３の端部３ａを支持する一対の支持板１５１と、一対の支持板１５１を連結する連結体５３とを備える。支持板１５１は、流路管３の端部３ａを支持するための貫通孔１５３と連結体５３の連結棒５９用の貫通孔１５５とを有している。貫通孔１５３，１５５の位置は、第１の実施形態と同様に、複数本の流路管３の配置により構成される円環の中心軸を中心とする円周上に位置する。
【００１７】
支持具１０５は流路管３及び区画具１０７を密閉状で支持する。
支持板１５１は、流路管３用の貫通孔１５３を構成する周面と流路管３の端部３ａとの間に配されるパッキン１９１用の空間を有する。この空間は、例えば、支持板１５１の貫通孔１５３における内側端部に形成された溝１５３ｃにより構成される。貫通孔１５３の直径は、支持板１５１の厚み方向の両側部分が大きく、その間に位置する中間部分が小さい。つまり、中間部分１５３ａは流路管３の支持用であり、外側の直径の大きい外側部分１５３ｂは流路管３を接続するための接続具用であり、内側の直径の大きい内側部分（１５３ｃ）はパッキン１９１用である。
【００１８】
支持板１５１は、内筒体１７１の端部外周面と支持板１５１の内周面との間に配されるパッキン１９３用の空間を有する。この空間は、例えば、支持板１５１の内周面から凹入する溝１５１ａにより構成される。溝１５１ａは周方向に連続して（一周分）形成されている。なお、内筒体１７１の端部外周面には支持板１５１に対する位置決め用の段差１７１ａが設けられている。
支持板１５１は、外筒体１７３の端部内周面と支持板１５１の外周面との間に配されるパッキン１９５用の空間を有する。この空間は、例えば、支持板１５１の外周面から凹入する溝１５１ｂにより構成される。溝１５１ｂは周方向に連続して（一周分）形成されている。なお、外筒体１７３の端部内周面には支持板１５１に対する位置決め用の段差１７３ａが設けられている。
【００１９】
２．光反応装置
光反応装置１００は、図７に示すように、流路ユニット１０１と、光源ユニット１０９とを備える。光源ユニット１０９は被光反応物質が反応する光を出射する。光源ユニット１０９の光源としては、例えば、直管タイプのランプが利用される。光源ユニット１０９の光源は、冷陰極管や熱陰極等の放電管を利用したものでもよいし、ＬＥＤやＬＤ等の発光素子を利用したものでもよい。
光源ユニット１０９は、流路ユニット１０１の中心軸を含む部位に存在する空間１０８内に配される。なお、光源ユニット１０９は、図外の固定ユニットにより流路ユニット１０１に対して固定される。
【００２０】
３．使用について
本実施形態における流路ユニット１０１の収容空間１７９は密閉状に構成されている。このため、例えば、温水や冷水を収容空間１７９に注入することで、流路管３の温度調整が可能となる。
また、外筒体１７３又は支持板１５１に供給口や排出口を設け、温水や冷水を循環させてもよい。このように、収容空間１７９を備えることで、流路管３の温度制御が可能となる。
【００２１】
＜第３の実施形態＞
第３の実施形態に係る光透過性流路ユニット（以下、単に「流路ユニット」とする。）２０１について図８を用いて説明する。
第１の実施形態の流路ユニット１及び第２の実施形態に係る流路ユニット１０１は複数本の流路管３を一重の円環状に備えていたが、流路管を多重の環状に備えてもよく、第３の実施形態に係る光透過性流路ユニット２０１として説明する。なお、第１の実施形態及び第２の実施形態に係る流路ユニット１，１０１と同じ構成については、同じ符号を用い、その説明を省略する。
【００２２】
１．構成
流路ユニット２０１は、複数本の流路管３を流路ユニット２０１の長手方向から見たときに、２重の環状に配されている。つまり、複数本の流路管３は中央の空間２０９の中心軸を中心とした同心円である円２０３，２０５の円周上に配されている。なお、円２０３の中心と円２０５の中心とは一致している。
内側の円２０３の円周上に配されている流路管３を内側流路管３１とし、外側の円２０５の円周上に配されている流路管３を外側流路管３３とする。ここでは、内側流路管３１の本数と外側流路管３３の本数とは同じであるが、本数は異なってもよい。なお、複数本の流路管３は、すべてが平行な状態で支持具２０７により支持されている。
ここでの複数本の流路管３１，３３は円２０３，２０５の円周上に等間隔（等角度）で配され、外側流路管３３は周方向において内側流路管３１の間に位置する。なお、複数本の流路管３１，３３は等間隔でなくて配されてもよい。
【００２３】
２．使用
複数本の内側流路管３１及び外側流路管３３を区別できるように、符号「３１」及び「３３」にアルファベットを付加する。
本流路ユニット２０１では、複数本の流路管３を選択して接続できるため、種々の流路長に調整できる。
（１）流路の本数
例えば、内側流路管３１の内、複数本（例えば３本である）の流路管３１ａ，３１ｂ，３１ｃを接続して、流路ユニット２０１に１つの流路を形成してもよい。
また、例えば、内側流路管３１の内、複数本（例えば２本である）を接続して、合計で４つの独立した流路を形成してもよい。具体的は、流路管３１ａ，３１ｂ、流路管３１ｃ，３１ｄ、流路管３１ｅ，３１ｆ、流路管３１ｇ，３１ｈを接続して４つの独立した流路を形成してもよい。流路を増やすことで、生産性（光反応の結果物）を高めることができる。なお、流路が増えても、光源ユニットを空間２０９の中心軸上に配することで、各流路管３に与える光エネルギ量を一定にできる。
【００２４】
（２）流路の位置
例えば、内側流路管３１を１本、外側流路管３３を１本接続してもよい。この場合、流路管３に与える光エネルギを２段階で調整できる。なお、内側流路管３１と外側流路管３３の上流・下流は、流路管３内を移動する被光反応物質の特性に合わせて適宜決定すればよい。これにより、１つの流路ユニット２０１で、光源ユニットの光出力等を変更することなく、光エネルギの強度を調整できる。
また、２本の内側流路管３１ａ，３１ｂと１本の外側流路管３５ａとを接続して１つの流路を形成し、３本の内側流路管３１ｃ，３１ｄ，３１ｅで別の流路を形成し、３本の外側流路管３５ｂ，３５ｃ，３５ｄで別の流路を形成してもよい。
（３）上記以外の接続パターンで複数本の流路管を利用してもよく、１つの流路ユニット２０１を使用しても流路長の自由度を著しく向上させることができる。
【００２５】
以上、各実施形態を説明したが、この実施形態に限られるものではなく、例えば、以下のような変形例であってもよい。また、実施形態と変形例、変形例同士を組み合わせたものであってよい。
また、実施形態や変形例に記載していていない例や、要旨を逸脱しない範囲の設計変更があっても本発明に含まれる。
【００２６】
＜変形例＞
１．流路管
（１）実施形態の流路管３は直管状であり、内径及び外径とも管軸方向に一定である。しかしながら、流路管の内径及び外径の少なくとも一方が管軸方向に沿って徐々に変化するテーパ管であってもよい。これにより流路管を透過する光量を調整することができる。
（２）流路管は内部を流動する液体等を混合させる混合手段を内部に備えてもよい。混合手段としては、例えば、スタティックミキサ等がある。なお、内周面を混合可能な形状としてもよい。
（３）実施形態の複数本の流路管３は管軸が延伸する方向から見たときに、円環状に配されていたが、例えば、楕円環状に複数本の流路管を配されてもよい。この場合、複数本の流路管を接続する際に、流路が長くなるにしたがって光源ユニットから離れるようにしてもよいし、流路が長くなるにしたがって光源ユニットに近づくようにしてもよい。これにより、流路管内を移動する被光反応物質に供給する光量を調整できる。
（４）実施形態の流路管３は直管状をしていたが、例えば、スパイラル状をしてもよく、長手方向の両端部が支持されていればよい。この場合も、複数本の流路管を選択的に接続することで、容易に流路長を調整できる。
（５）実施形態の流路管３は、特に表面処理等されていないが、例えば、ガラス管を利用する場合、外表面に対してブラスト処理やエッチング処理等を行ってもよい。これにより、ガラス管の表面が白化し、光の透過率を調整できる。この際、流路管の横断面において処理状態の異なる外表面にしてもよい。例えば、外表面において周方向に１／３ずつ異なるようにして流路管を回転させる支持することで、被光反応物質に供給する光量を調整できる。
また、流路管の外表面の一部を反射面としてもよい。これにより光源ユニットから光を有効に利用できる。
（６）実施形態の流路管は内部に触媒等を配していないが、内面に光触媒等の触媒を塗布してもよい。なお、塗布は触媒を含んだ液体と流すことで実施できる。
【００２７】
２．支持具
（１）実施形態の支持板５１は円板状をしていたが、例えば、多角形状をしてもよい。これにより光透過性流路ユニットを平坦面に載置した際に流路ユニットの転がりを防止できる。
（２）実施形態では流路管用の貫通孔５５をユニットの周方向に等間隔（等角度）で支持板５１に設けていたが、等間隔に設けなくてもよい。
（３）連結体用の貫通孔５７を、流路管用の貫通孔５５と同一円周上に設けていたが、別の円周上に設けてもよい。
（４）実施形態の支持板５１は流路管用の貫通孔５５を有し、１つの貫通孔５５に１本の流路管３が支持されていたが、１つの貫通孔に複数本の流路管が支持されてもよい。なお、この場合、貫通孔の形状は長孔等になる。
（５）実施形態では一対の支持板５１を連結体５３で連結したが、一対の支持板を光反応装置のベースで固定するようにしてもよいし、一枚の支持板を利用して、複数本の流路管を吊るすようにしてもよい。この場合、流路ユニットの中心軸は上下方向となる。
【００２８】
３．接続
接続具は、２本の流路管を接続できればよく、その構造は特に限定するものではない。実施形態では、流路管３の端部３ａは支持板５１の貫通孔５５内で接続具（オムニフィット）により接続される構造を有していたが、例えば、流路管の端部が支持板から張り出し、支持板の外側で直接弾性チューブにより接続されるような構造であってもよい。
なお、接続具は、流路ユニットを構成する一要素としてもよいし、流路ユニットを構成しない別要素としてもよいし、光反応装置を構成する一要素としてもよいし、光反応装置を構成しない別要素としてもよい。
【００２９】
４．区画具
（１）実施形態での区画具１０７を構成する内筒体１７１及び外筒体１７３は、共に円筒状をしているが、例えば、外筒体を多角筒状としてもよいし、外筒体及び内筒体を多角筒状としてもよい。
内筒体１７１及び外筒体１７３は内筒体１７１の中心軸と外筒体１７３の中心軸が一致するように設けられているが、内筒体及び外筒体の両中心軸は一致しなくてもよい。
（２）実施形態の内筒体１７１と外筒体１７３のそれぞれは、内径及び外径が一定のストレート管であったが、一端から他端に移るにしたがって内径と外径との少なくとも一方が徐々に変化するテーパ管であってもよい。
（３）実施形態の外筒体１７３は金属製であったが、例えば、透明な樹脂パイプであってもよい。この場合、光反応状態を外部から観察することができる。
（４）第２の実施形態の収容空間１７９は密閉状に構成されていたが、密閉状でなくてもよい。例えば、外筒体及び支持板に貫通孔を設け、当該貫通孔からヒータ等を挿入してもよい。また、収容空間に断熱材等を配してもよい。
（５）実施形態の内筒体１７１は透光性を有しているが、中心軸方向の半分を非光透過性フィルムで被覆して受光できる流路長を変更するようにしてもよい。
【００３０】
５．光源ユニット
光源ユニットについて詳細に説明していないが、既存のランプを利用することができる。この際、ランプ表面を非光透過フィルムで覆い、光の主射領域を選択するようにしてもよい。
光源ユニットの光源としてＬＥＤを好適に利用できる。特に、光反応に適した波長のＬＥＤを用いることで、効率よく光反応を生じさせることができる。また、指向性の強いＬＥＤを利用することで、効率よく光反応を生じさせることができる。
【００３１】
６．ポンプ
実施形態では、流路管に液体等を送出するポンプについて説明していない。光反応装置は、流路ユニット、光源ユニット及びポンプユニットを備えてもよい。なお、ポンプユニットの液体の送出量と流路管の内径とを調整して、流路管内で乱流を生じるようにしてもよい。
７.被光反応物質及び液体（流体）
実施形態では被光反応物質について特に説明していないが、ＬＥＤやランプから出射される光により反応を起こすものであればよく、特に限定するものではない。なお、ここでいう反応には、化学反応（例えば、結合、解離、発光、酸化、還元、合成等である。）、殺菌、細胞の成長、発光、発電等を含むが、これら以外のものも含む。
被光反応物質は、気体であってもよいし、液体であってもよいし、固体であってもよいし、これらが混ざったものでもよい。被光反応物質が、例えば、色素分子（クロロフィル分子等）のような気体の場合、当該気体を流体として流動させてもよい。被光反応物質が、例えば、オゾンのような気体の場合、当該気体を含んだ液体（例えば、ハロメタン等）を流体として流動させてもよい。バクテリアのような物質（固体）の場合、固体を含んだ液体（例えば水等）や固体を含んだ気体（例えば空気等）を流体として流動させてもよい。
なお、被光反応物質が液体の場合、例えば、反応を促進する促進物質等の他の物質（固体、液体、気体）を含んでもよい。また、流体は、例えば、被光反応物質を含んだ液体間に気体を入れて、液体が気体で区切られてもよい。
【符号の説明】
【００３２】
１    光透過性流路ユニット
３    流路管
５    支持具
【図１】
2018149470.tif 000003
【図２】
2018149470.tif 000004
【図３】
2018149470.tif 000005
【図４】
2018149470.tif 000006
【図５】
2018149470.tif 000007
【図６】
2018149470.tif 000008
【図７】
2018149470.tif 000009
【図８】
2018149470.tif 000010